Podtech/llm-jp-corpus-v4-ja_patent huggingface dataset:
(57)【要約】      （修正有）【課題】多量の書類を保管したキャビネット、デスクの引き出しやカバンにおいて、当該書類の長辺部に見出しを表示することで、目的の書類を捜す時間を短縮し事務処理業務の効率化に貢献する書類の形態を提供する。【解決手段】短辺と長辺とからなる書類において、例えば長辺見出しを作成する機能を付与された書類作成用コンピュータプログラムを用いることにより、当該書類の長辺部に見出しを作成する。さらに、当該見出しとして大分類用見出し２、中分類用見出し３、小分類用見出し４等の情報を表示することも可能である。【選択図】図２
0003172857.tif 000002
【実用新案登録請求の範囲】
【請求項１】
短辺と長辺とからなる書類において、当該書類の長辺部に見出しを有する書類。
【請求項２】
大分類用見出し、小分類用見出し等の情報を表示することを特徴とする請求項１に記載の見出しを有する書類。
【請求項３】
大分類用見出し、中分類用見出し、小分類用見出し等の情報を表示することを特徴とする請求項１に記載の見出しを有する書類。
【請求項４】
書類作成用コンピュータプログラムを用いて作成した請求項１、請求項２又は請求項３に記載の見出しを有する書類。
【請求項５】
書類作成用コンピュータプログラムが、文章作成コンピュータプログラム、表作成コンピュータプログラム又は図作製コンピュータプログラムである請求項４に記載の見出しを有する書類。
【考案の詳細な説明】
【技術分野】
【０００１】
本考案は、書類をファイルに綴じるまでの間や綴じた後、仕切紙等を用いずに簡便に書類名や分類等を表示するようにし、目的の書類を捜す時間を短縮することで事務の効率化に資するものである。
【背景技術】
【０００２】
綴じ込み書類の用紙サイズに比べ、ファイル仕切紙の幅を右片側のみ上端からシート縦長寸法の７ ５ ％ 程度について１ ｃ ｍ 程度広くし、残りの２ ５ ％ 程度は綴じ込み書類と同じ幅にしたことを特徴とする複数の見出しを同時に表示出来るインデックスと一体型のファイル仕切紙の考案が開示されている。
【先行技術文献】
【特許文献】
【０００３】
【特許文献１】実用新案登録第３１３３１００号  公報
【考案の概要】
【考案が解決しようとする課題】
【０００４】
本考案は、多量の書類を保管したキャビネット、書棚、デスクの引き出し、デスク上やカバンにおいて、当該書類の長辺部に見出しを表示することで、目的の書類を捜す時間を短縮し、事務処理業務の効率化に貢献しようとするものである。
【課題を解決するための手段】
【０００５】
短辺と長辺とからなる書類において、当該書類の長辺部に見出しを有するようにする。当該見出しとして大分類用見出し、中分類用見出し、小分類用見出し等の情報を表示することも可能である。
【０００６】
上記書類は、文章作成コンピュータプログラム、表作成コンピュータプログラム又は図作製コンピュータプログラム等の書類作成用コンピュータプログラムに上記に記載の見出しを作成する機能を付与することにより、容易に作製することができる。
【０００７】
上記書類をキャビネットやデスクの引き出し等に保管する場合、当該書類の長辺見出しを有する側を上にして保管すれば、当該書類の上部をパラパラとめくるだけで、容易に短時間で目的の書類を捜すことができる。
【０００８】
上記書類を書棚やデスク上に立てて保管する場合、当該書類の長辺見出しを有する側を手前にして保管すれば、当該書類の側部をパラパラとめくるだけで、容易に短時間で目的の書類を捜すことができる。
【０００９】
なお、上記コンピュータプログラムで作製した書類は、方法的に記載されているが、これは、方法を構成要件とするのではなく、方法によって特定されるべき物品の形態を構成要件として当該実用新案の技術的範囲を定めるとする方法便法説により権利解釈がなされる。従って、異なる方法によっても、同一の形態が構成されるときは、その異なる方法の結果物に対しても技術的範囲が及ぶことに留意すべきである。
【００１０】
また、上記コンピュータプログラムは、当該実用新案登録に係る物品の製造に用いる物に該当するため、他の要件を満たせば、当該コンピュータプログラムを作成、販売又は電気通信回線を通じて提供等すれば、その行為は当該実用新案登録の侵害とみなされることに留意すべきである。
【考案の効果】
【００１１】
仕切り紙や一般的なホルダー等の特別な文房具を使用することなく、簡便に通常事務所で使用するキャビネットやデスクの引き出しに書類を保管することができるとともに、当該書類を容易に探し出すことが可能となり事務作業の効率化に資するものである。
【図面の簡単な説明】
【００１２】
【図１】本考案の長辺見出しを有する書類の平面図である。
【図２】本考案の長辺見出しを有する書類の平面図である。
【符号の説明】
【００１３】
１・・・長辺見出しを有する書類、２・・・大分類用見出し、３・・・中分類用見出し、
４・・・小分類用見出し
【考案を実施するための形態】
【００１４】
文書作成コンピュータプログラムのヘッダーやフッター作成機能に長辺見出し作製機能を追加したものを用い、当該コンピュータプログラムを用いて作成した書類に長辺見出しを作成する。例えば、書類が実用新案登録出願書類である場合、大分類用見出しとして出願した年である「２０１１年」、小分類用見出しとして考案の名称である「長辺見出しを有する書類」の２つの見出しを順番にを入力し表示させる。あるいは、大分類用見出しとして出願した年である「２０１１年」、中分類用見出しとして出願の種類である「実用新案」、小分類用見出しとして考案の名称である「長辺見出しを有する書類」の３つの見出しを順番に入力し表示させる。
【００１５】
本考案は、以上のような構成の書類で、これをキャビネットやデスクの引き出しに保管する時は、数ページの印刷した書類をステイプラーやクリップ等で束ね、そのままかあるいはクリアファイル等に入れたうえで、長辺見出しが上になるように横にして見出しのアイウエオ順等の一定ルールのもとに保管すれば、仕切り紙等を用いずとも後で目的の書類を探し出しやすい。
【実施例】
【００１６】
以下、添付図面に従って、本考案の実施例について説明する。図１は２つの長辺見出しを有する書類を示す。図２は３つの長辺見出しを有する書類を示す
【００１７】
本件考案は、実施許諾する用意があるので、実施を希望される方は、出願人（実用新案権者）へご連絡されたし。
【図１】
0003172857.tif 000003
【図２】
0003172857.tif 000004
(57)【要約】      （修正有）【課題】ＬＥＤとソーラーパネルを使用した、任意な場所に設置できる照明装置を提供する。【解決手段】ソーラーパネル１と、該ソーラーパネルで得られる電気を貯蔵する蓄電池と、該蓄電池からの出力により発光する発光ダイオード２とを、透光性を有する筐体４内に内蔵した照明装置であって、前記発光ダイオードが前記ソーラーパネル上に設置されたことを特徴とする。【選択図】図１
0003172819.tif 000002
【実用新案登録請求の範囲】
【請求項１】
ソーラーパネルと、前記ソーラーパネルで得られる電気を貯蔵する蓄電池と、前記蓄電池からの出力により発光する発光ダイオードとを、透光性を有する筐体内に内蔵した照明装置であって、前記発光ダイオードが前記ソーラーパネル上に設置されたことを特徴とする照明装置。 
【考案の詳細な説明】
【技術分野】
【０００１】
本考案は、特に、ＬＥＤ（Ｌｉｇｈｔ
Ｅｍｉｔｔｉｎｇ Ｄｉｏｄｅ：発光ダイオード）とソーラーパネルを組み合わせた照明装置に関する。
【背景技術】
【０００２】
従来使用されている照明装置には、商用電力用のものが存在するが、その持運びは、通常照明装置に付属するコードの長さ分に限られていた。
また、持運びを目的とするものは、電源として電池が使用されており、電池が消耗すると電池交換が必要になるという手間がかかった。
【考案の概要】
【考案が解決しようとする課題】
【０００３】
本考案は、従来技術の問題点を解消し、可搬的で、かつ長期間の使用を可能にした、任意場所に設置可能な照明装置を提供することを目的とする。
【課題を解決するための手段】
【０００４】
上記の課題を解決するために、本考案は、以下に掲げる構成とした。  ソーラーパネルと、前記ソーラーパネルで得られる電気を貯蔵する蓄電池と、前記蓄電池からの出力により発光する発光ダイオードとを、透光性を有する筐体内に内蔵した照明装置であって、前記発光ダイオードが前記ソーラーパネル上に設置されたことを特徴とする。
【考案の効果】
【０００５】
本考案に係る照明装置は、容易に持ち運ぶことが可能であり、任意の場所に設置可能な照明装置として便利である。また、ソーラーエネルギーを使用するため、環境に配慮された照明装置として実用性が高い。
【図面の簡単な説明】
【０００６】
【図１】本考案による照明装置の構成例を示す図である。
【考案を実施するための形態】
【０００７】
以下、本考案の実施の形態について、詳細に説明する。但し、図面は模式的なものであり、寸法関係の比率等は現実のものとは異なる。
【実施例１】
【０００８】
以下、図面を参照して本考案の実施例１に係る構成を説明する。図１は、本考案の実施例１に係る照明装置の構成例を示す図である。
【０００９】
透光性を有する筐体４内の底部には、電源部３が設置され、その上部にソーラーパネル１、発光ダイオード２が順次設置される。また、電源部３、ソーラーパネル１、発光ダイオード２は、それぞれが電気的に接続されている。
【００１０】
透光性を有する筐体４の形状及び材質は特に限定されない。例えば、透光性を有していれば、清涼飲料等のペットボトルを用いることもできる。電源部３は、ソーラーパネル１によって得られる電気エネルギーを貯蔵する蓄電池及び制御回路等（図示しない）から構成される。この電源部３の上部には、光エネルギーを電気エネルギーへと変換するソーラーパネル１が上向きに設置される。
【００１１】
さらに、ソーラーパネル１上には、発光ダイオード２が設置され、前記蓄電池からの電気エネルギーにより発光することで、照明装置としての役割を果たす。尚、発光ダイオード２は、砲弾型LEDまたは表面実装型LEDを用いることができ、複数用いてもよい。
【符号の説明】
【００１２】
１、ソーラーパネル２、発光ダイオード３、電源部４、筐体 
【図１】
0003172819.tif 000003
(57)【要約】      （修正有）【課題】長さ太さの異なるコードの配線接続後、容易に任意の長さに調整し止めることを可能にするコード巻取り束ね具を提供する。【解決手段】本コード巻取り束ね具は、コードを２ヶ所の２足部間の外側に巻き付け、コードの上からバンド部１をプラスチック樹脂のヒンジ性と柔軟性を利用し、Ａ方向から本体部３に巻き付け、別方向からフック部に通す。フック部に通したバンド１の爪部が、足部２に巻き付けたコードの元に戻ろうとする力と、プラスチック樹脂の弾力性を利用してフック部に引っ掛かり止る。その止めをはず場合は、フック部に通し出たバンド部１を本体部３の方向にバンド部１を上から押すことで爪部がフック部からはずれる。【選択図】図１
0003172576.tif 000002
【実用新案登録請求の範囲】
【請求項１】
コードを巻取り束ね止める器具
【考案の詳細な説明】
【技術分野】
【０００１】本考案はコードを巻取り束ねておくためのコード巻取り・束ね具およびコード巻取り束ね構造に関する。
【背景技術】
【０００２】従来、コードの配線接続後、長すぎ余った部分をそのままにしている。またはコード束ね具を用いて束ねている。
【考案が解決しようとする課題】
【０００３】しかしながら、長さ太さの異なるコードの配線接続後、容易に任意の長さに何度も調整することができない。
【課題を解決するための手段】
【０００４】本考案は、コードの配線接続後、長すぎ余った部分を巻き取ることで容易に任意の長さに調整でき束ね止めておくことができる。また、止めた部分を何度でも取り外しができる、コード巻取り束ね具を提供することで上記課題を解決する。
【考案の効果】
【０００５】本考案は、長さ太さの異なるコードの配線接続後、容易に任意の長さに何度でも調整することができるため手間がかからない。また、手軽に整理整頓収納することができるため極めて見映えも良い。
【図面の簡単な説明】
【０００６】
【図１】本考案の概略図
【図２】本考案の概略図（図１の裏側）
【図３】本考案の図２Ｂ−Ｂの断面図
【考案を実施するための形態】
【０００７】本考案コード巻取り束ね具は、プラスチック樹脂製の一体成形品であり、図１、図２に示されるように１バンド部、２ヶ所の２足部、３本体部、４フック部を設けている。図１の１バンド部は図３に示されるように段差５爪部を設けている。また１バンド部を一体ではなく別部品としてもよい。
【実施例】
【０００８】本考案コード巻取り束ね具は、コードを２ヶ所の２足部間の外側に巻き付け、コードの上から１バンド部をプラスチック樹脂のヒンジ性と柔軟性を利用し、Ａ方向から３本体部に巻き付け、Ｃ方向から４フック部に通す。４フック部に通した１バンドの５爪部が、２足部に巻き付けたコードの元に戻ろうとする力と、プラスチック樹脂の弾力性を利用して４フック部に引っ掛かり止る。その止めをはず場合は、４フック部に通し出た１バンド部を３本体の方向に１バンド部を上から押すことで５爪部が４フック部からはずれる。
【符号の説明】
【０００９】１バンド部
２足部
３本体部
４フック部
５爪部
【図１】
0003172576.tif 000003
【図２】
0003172576.tif 000004
【図３】
0003172576.tif 000005
【手続補正書】
【提出日】平成23年8月12日(2011.8.12)
【手続補正１】
【補正対象書類名】実用新案登録請求の範囲
【補正対象項目名】全文
【補正方法】変更
【補正の内容】
【実用新案登録請求の範囲】
【請求項１】
プラスチック樹脂からなる平らな面を有する本体（３）に、ある距離をおいて２ヶ所の凸になっている足部（２）を配置し、その２ヶ所の足部（２）のセンターより９０°一方向に、本体（３）より長く伸びた帯形状のバンド部（１）を配置し、そのバンド部（１）は樹脂の持つ１つのヒンジ・柔軟性を利用し、本体（３）足部（２）の反対側に配置したフック部（４）に通し、バンド部（１）の先端側に設けた爪部（５）が引っ掛る構成にした、プラスチック樹脂一体成形品のコード巻取り束ね具。
【手続補正書】
【提出日】平成23年10月4日(2011.10.4)
【手続補正１】
【補正対象書類名】実用新案登録請求の範囲
【補正対象項目名】全文
【補正方法】変更
【補正の内容】
【実用新案登録請求の範囲】
【請求項１】
プラスチック樹脂からなる平らな面を有する本体（３）に、ある距離をおいて２ヶ所の凸になっている足部（２）を配置し、その２ヶ所の足部（２）を結んだ直線距離の中心より、その直線に対して９０°一方向に、本体（３）より長く伸びた帯形状のバンド部（１）を配置し、そのバンド部（１）を樹脂の持つヒンジ・柔軟性を利用し、本体（３）足部（２）が設けられている面の反対側に配置したフック部（４）に通し、バンド部（１）の先端側に設けた爪部（５）が引っ掛る構成にした、プラスチック樹脂一体成形品のコード巻取り束ね具。
(57)【要約】      （修正有）【課題】コップの底の外側の面の中心に突起を設け、その突起を軸にして、視覚的楽しみのためコップを手で回して回転させることができるコップを提供する。【解決手段】コップの底の外側の面の中心につけた突起を軸に回転する様にコップを形成する。前記突起は丸形や三角、又花形などでありその突起の中心がコップの底の外周より少し出す。具体的には、コップの大きさや底の直径によって異なるが、０．１〜１．０ｍｍの範囲で、それぞれのコップの大きさにおいて安定した回転を得ることが出来る高さの突起を持っていることを特徴として該コップを形成する。【選択図】図１
0003172575.tif 000002
【実用新案登録請求の範囲】
【請求項１】
グラスの底の外側の中心についた突起を軸に回転するグラス（コップ、タンブラー）
【請求項２】
［請求項１］の突起とは丸型や三角、又デザイン（花形など）でその中心がグラスの底の外周より少し出ている突起。
【請求項３】
［請求項１］の突起の高さは、グラスの大きさや底の直径によって異なるが、０．１〜１．０ｍｍの範囲でそれぞれの大きさにおいて安定した回転を得られることが出来る。
【請求項４】
［請求項１］のグラス（コップ、タンブラー）の材質は、ガラス、金属、プラスチックなどでつくられたもの。
【考案の詳細な説明】
【考案概要】
【技術分野】
【０００１】この考案はグラス（コップ・タンブラー）の底の中心に突起を付けた回転グラス（コップ・タンブラー）に関するものである。
【背景技術】
【０００２】従来は平らな所で飲み物を入れて飲んだり、整理・整頓して置くことを目的としたグラス（コップ・タンブラー）であった。
【考案が解決しようとする課題】
【０００３】飲み物を飲むためにボトルなどからグラス（コップ・タンブラー）に小分けして出して飲んだり、それを静止させて置く事だけを目的とするのではなく、動きを与えて目でも楽しむ事が出来るようにする。
【課題を解決するための手段】
【０００４】グラス（コップ・タンブラー）の底の外側の面の中心に突起を設け、その突起を軸にし手でグラス（コップ・タンブラー）を回転させる。
【考案の効果】
【０００５】グラス（コップ・タンブラー）が回転するので飲み物を入れた時だけでなく、グラス（コップ・タンブラー）の外周に絵や文字、キャラクター等を描き、そのグラス（コップ・タンブラー）を回転させ絵や文字、キャラクターに動きを与えて楽しむことができる。
又、グラス等の外周に大吉、中吉、小吉、吉、末吉などを描き回転を与えて正面で止まった所を見て占うおみくじ占いや、グー、チョキ、パー、あいこ、などを描き、回転させ止った位置を見て勝ち負けを決めるジャンケンゲームなど、いろいろな占いやゲームを楽しむことが出来る。
【図面の簡単な説明】
【０００６】
【図１】考案の斜視図である。
【図２】考案の正面、背面図、左右側面図である。
【図３】考案の底面図である。
【符号の説明】
【０００７】１．グラス本体
２．突起
【図１】
0003172575.tif 000003
【図２】
0003172575.tif 000004
【図３】
0003172575.tif 000005
【手続補正書】
【提出日】平成23年10月5日(2011.10.5)
【手続補正１】
【補正対象書類名】実用新案登録請求の範囲
【補正対象項目名】全文
【補正方法】変更
【補正の内容】
【実用新案登録請求の範囲】
【請求項１】
コップの底の外側の面の中心につけた突起を軸に回転するコップ。
【請求項２】
前記突起は丸形や三角、又花形などでありその突起の中心がコップの底の外周より少し出ていることを特徴とする請求項１に記載のコップ。
【請求項３】
前記突起の高さは、コップの大きさや底の直径によって異なるが、０．１〜１．０ｍｍの範囲で、それぞれのコップの大きさにおいて安定した回転を得ることが出来る高さの突起を持っていることを特徴とした請求項１に記載のコップ。
【請求項４】
前記のコップの材質は、ガラス、金属、プラスチック等であることを特徴とした請求項１に記載のコップ。
【手続補正２】
【補正対象書類名】明細書
【補正対象項目名】全文
【補正方法】変更
【補正の内容】
【考案の詳細な説明】
【考案概要】
【技術分野】
【０００１】この考案はコップの底の外側の面の中心に突起をつけた手で回転させる事の出来るコップに関するものである。
【背景技術】
【０００２】従来のものは平らな所で飲み物を入れて飲んだり、整理・整頓して置くことを目的としたコップであった。
【考案が解決しようとする課題】
【０００３】飲み物を飲むときに保存容器やボトルなどからコップに注いで飲んだり，そのまま静止状態にして置く事だけを目的とするのではなく、手でコップにまわる力を与えてコップを回転させコップの動きを目で見て楽しむ事が出来るようにする。
【課題を解決するための手段】
【０００４】コップの底の外側の面の中心に突起を設け、その突起を軸にしてコップを手で回して回転させる。
【考案の効果】
【０００５】コップが回転するので飲み物を入れ回転させるだけでなく、コップの側面に絵や文字、キャラクター等を描き、そのコップを回転させ絵や文字、キャラクターに動きを与えてそれらを見て楽しむことができる。
又コップの側面に大吉・中吉・小吉・吉・末吉などを描き回転を与えて正面で止まった所を見て占うおみくじ占いや、グー・チョキ・パー・アイコ等を描いて回転させ止った位置を見て勝ち負けを決めるジャンケンゲームなど、いろいろな占いやゲームを楽しむことが出来る。
【図面の簡単な説明】
【０００６】
【図１】考案の斜視図である。
【図２】考案の正面、背面、左右側面図である。
【図３】考案の底面図である。
【符号の説明】
【０００７】（１）  コップ本体
（２）  突起
【手続補正３】
【補正対象書類名】図面
【補正対象項目名】全図
【補正方法】変更
【補正の内容】
【図１】
0003172575.tif 000006
【図２】
0003172575.tif 000007
【図３】
0003172575.tif 000008
(57)【要約】      （修正有）【課題】河川で水が増水、減水した時でも発電することができる水中発電機を提供する。【解決手段】円形リング３に取り付けた複数の回転羽根２と、各回転羽根に取り付けた突起物と、円形リングの外側に設けた楕円形リング４と発電機１とからなる。楕円形リングに突起物が接することにより回転羽根の角度が変化する。【選択図】図２
0003172574.tif 000002
【実用新案登録請求の範囲】
【請求項１】
発電機の外側に回転羽根を取り付け、楕円形のリングで回転羽根の角度を変化させる事を特徴とした発電機。
【考案の詳細な説明】
【考案の概要】
【考案が解決しようとする課題】
【０００１】  水中で発電機、回転羽根一体型発電機である。
【課題を解決するための手段】
【０００２】  発電機外部に回転羽根を取り付ける。
【考案の効果】
【０００３】  河川で水が増水、減水した時でも発電する事が出来る、又設置場所を多くする事が出来る発電機である。
【考案を実施するための形態】
【０００４】  以下、本案の実施例について説明する。
図１、図２に基づいて楕円形のリング４で回転羽根２の角度を変えることにより、回転羽根２に最大の水力を得ることが出来る。
【図面の簡単な説明】
【０００５】
【図１】発電機の正面図
【図２】発電機の側面図
【符号の説明】
【０００６】  １  発電機  ２  回転羽根  ３  円形のリング  ４  楕円形のリング  ５  電気コード
【図１】
0003172574.tif 000003
【図２】
0003172574.tif 000004
【手続補正書】
【提出日】平成23年8月8日(2011.8.8)
【手続補正１】
【補正対象書類名】実用新案登録請求の範囲
【補正対象項目名】全文
【補正方法】変更
【補正の内容】
【実用新案登録請求の範囲】
【請求項１】
回転羽根（樋状の水受け）を円形リングに取り付けその円形リングを発電機のシャフトに取り付ける、発電機の片方の鉄板に溶接したパイプにベアリングを付けた円形リングを取り付ける事により回転羽根が回転する、
円形リングに取り付けた回転羽根の一方に突起物を取り付ける、鉄骨に取り付けた凹みを付けた楕円形リングに回転羽根の突起勿が凹みを回る事により回転馬根の角度が変化して最適の水力を得る事が出来る。
【手続補正書】
【提出日】平成23年10月5日(2011.10.5)
【手続補正１】
【補正対象書類名】実用新案登録請求の範囲
【補正対象項目名】全文
【補正方法】変更
【補正の内容】
【実用新案登録請求の範囲】
【請求項１】
円形リングに取り付けた複数の回転羽根と、各回転羽根に取り付けた突起物、前紀円形リングの外側に設けた楕円形リング、発電機とからなり、楕円リングに前紀突起物が接する事により回転羽根の角度が変化する事を特徴とする水中発電機。
(57)【要約】      （修正有）【課題】網戸に用いられる防虫装置であって、網戸と、障子に取り付けられている硝子との間に存在する隙間を塞ぐことができる虫除け材を提供する。【解決手段】軟材２を超極薄板材１に取り付け、網戸枠３に接着剤で固定する。軟材を取り付けた板材は網戸枠３より軟材の巾、若しくはこれ以上大きく、硝子５との間は塞がれる。硝子戸を全開にしていなくとも効果は同じとなる。軟材２を板材１に取り付けられた装置であって、新しい網戸ではなくとも、現在設置されている網戸にも取り付け可能であり、効果は同じである。また、硝子戸枠に取り付けても効果は同じである。【選択図】図５
0003172577.tif 000002
【実用新案登録請求の範囲】
【請求項１】
網戸とガラス障子戸との間に生ずる隙間を、ガラス障子戸の開閉の際、どの位置によっても塞ぎ、小さな虫の侵入を防ぐ。軟材、又はこれに替わる素材を取り付けられた、超極薄の板材を、本考案によれば、網戸若しくは硝子に備える装置であって、網戸の防虫効果を発揮させることができる。取り付けは軟材を取り付けた、板状の装置を接着剤若しくは、接着剤付き本装置を網戸若しくは、障子に取り付ける。
【考案の詳細な説明】
【技術分野】
【０００１】  本発明は、窓等に取り付けられる網戸装置に関する。
【背景技術】
【０００２】  外部からの虫の侵入を防止する家屋用防虫施設として、家屋の窓に嵌め込まれた網戸が知られている。これらの防虫施設に用いられる、網戸とサッシ枠や障子との隙間を防ぐために、網戸の縦桟にはモヘヤが取り付けられている。このモヘヤが、サッシ縦枠や障子縦框に密接することによって、隙間からの虫の侵入の防止効果や気密性を確保している（例えば、特許文献１及び２参照）
しかしながら、このようなモヘヤでは、網戸と障子に取り付けられる硝子との間に、隙間が存在するため、この隙間から虫等が室内に入り込み易く、防虫性に劣るという問題があった。
【先行技術文献】
【特許文献】
【０００３】
【特許文献１】特開２０００−２３０３７６号公報
【特許文献２】実願２００１−６２７８号公報
【考案の概要】
【考案が解決しようとする課題】
【０００４】本発明は、このような事情のもとで、網戸に用いられる防虫装置であって、網戸と、障子に取り付けられている硝子との間に存在する隙間を塞ぐことができる虫除け材を提供することを目的とする。
【課題を解決するための手段】
【０００５】上記課題を解決するため、障子かまちに対向する窓枠に配置される網戸と、障子の硝子の間に存在する隙間を、前記網戸に備えることにより、前記隙間を塞ぐことができる虫除け材を提供するものである。
【図面の簡単な説明】
【０００６】
【図１】網戸装置を取り付けた正面図である
【図２】障子戸と網戸の断面図である
【図３】障子戸が開放されたときの網戸との正面図である
【図４】障子戸が閉められたときの網戸との平面図である
【図５】障子戸が開放されたときの網戸との平面図である
【図６】障子戸が開放されたときの網戸との詳細図である
【図７】本考案を障子戸に取り付け閉められたときの網戸との平面図である
【図８】本考案を障子戸に取り付け開放されたときの網戸との平面図である
【考案を実施するための形態】
【０００７】    軟材を取り付けられた超極薄の板材を、網戸や硝子障子戸に取り付ける。
【考案を実施するための形態】
【０００８】  以下、添付図面に従って一実施例を説明する。
図１は網戸に本考案を取り付けたときの全体図であり、２軟材を１超極薄板材に取り付け、３網戸枠に接着剤で固定する。２軟材を取り付けた１板材は３網戸枠より軟材の巾、若しくはこれ以上大きく、図４で示す通り５硝子との間は塞がれる。硝子戸を全開にしていなくとも効果は同じとなる。本考案は図６の通り２軟材を１板材に取り付けられた装置であって、新しい網戸ではなくとも、現在設置されている、網戸にも取り付け可能であり、効果は同じである。また図７、図８で示す通り、硝子戸枠に取り付けても効果は同じである。
【符号の説明】
【０００９】１  板状材
２  軟材
３  網戸枠
４  網
５  硝子
６  障子戸枠
【図１】
0003172577.tif 000003
【図２】
0003172577.tif 000004
【図３】
0003172577.tif 000005
【図４】
0003172577.tif 000006
【図５】
0003172577.tif 000007
【図６】
0003172577.tif 000008
【図７】
0003172577.tif 000009
【図８】
0003172577.tif 000010
【手続補正書】
【提出日】平成23年10月7日(2011.10.7)
【手続補正１】
【補正対象書類名】実用新案登録請求の範囲
【補正対象項目名】全文
【補正方法】変更
【補正の内容】
【実用新案登録請求の範囲】
【請求項１】
超極薄の板材にモヘア、スポンジ等軟材を取り付けた、網戸とガラス障子戸との間に生ずる隙間を塞ぎ、網戸の防虫効果を発揮させることができることを、特徴とする網戸用防虫装置。
(57)【要約】      （修正有）【課題】あおぎやすく、強度が保てる紙うちわを提供する。【解決手段】スプーン型の真ん中にスジを入れて曲げる。【選択図】図１
0003172573.tif 000002
【実用新案登録請求の範囲】
【請求項１】
紙うちわ印刷、抜き加工のみで作成する紙うちわ
【請求項２】
持ち手部分の筋入れ加工
【考案の詳細な説明】
【技術分野】
【０００１】紙うちわのあおぐ時の形状に関する。
【背景技術】
【０００２】従来の紙うちわはあおぎにくく、送風量に欠け、貼り合わせ品ではコストが掛かり過ぎる為に考案したもの。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】（・・・・）  本考案は以上の様な従来の欠点に鑑み、記載型（図１型）、指穴無し、貼り作業無しの紙うちわを提供する事を目的としている。
【課題を解決する為の手段】
（・・・・）  上記目的を達成する為に、本考案は１枚の紙を使い、持ち手部分に筋を入れる事により仰ぎやすく強度が保てる紙うちわを構成している。
【考案の効果】
（・・・・）  以上の説明から明らかのように本考案にあっては次の列挙する効果が得られる。    （１）  スジを入れる事（図２）によりあおぎやすく従来の穴のみの紙うちわより強度  が保たれ、貼り合わせの物より低コストで提供出来る。    （２）  「（図１）」本考案を実施する為の最良の第１の形態の紙うちわ図である。
【考案を実施するための形態】
以上の本考案の実施形態を図に基づいて説明する。
【実施例】（・・・・）  図１は本考案作成の実施例１の抜きであり紙（印刷物など）を抜き加工するものである。
【産業上の利用可能性】（・・・・）  本考案は紙うちわを製造する産業で利用される。
【符号の説明】（・・・・）
【図１】
0003172573.tif 000003
【手続補正書】
【提出日】平成23年8月12日(2011.8.12)
【手続補正１】
【補正対象書類名】実用新案登録請求の範囲
【補正対象項目名】全文
【補正方法】変更
【補正の内容】
【実用新案登録請求の範囲】
【請求項１】
この紙うちわは従来のしずく型よりもスプーン型にする事により持ち易く、尚且つ弱くならない位に角度を保ち、スジを真ん中に入れ、曲げる事により風量を保ち尚且つ筋の部分に角度を付けることにより強度が保つ事が出来るものを「スジ入り紙うちわ」とする。
【手続補正２】
【補正対象書類名】明細書
【補正対象項目名】全文
【補正方法】変更
【補正の内容】
【考案の詳細な説明】
【技術分野】
【０００１】
【図面の簡単な説明】
【０００Ｙ】
【図１】
平面図
【符号の説明】
【０００Ｚ】
１    スプーン型
２    スジ
【手続補正３】
【補正対象書類名】図面
【補正対象項目名】全図
【補正方法】変更
【補正の内容】
【図１】
0003172573.tif 000004
【手続補正書】
【提出日】平成23年10月5日(2011.10.5)
【手続補正１】
【補正対象書類名】実用新案登録請求の範囲
【補正対象項目名】全文
【補正方法】変更
【補正の内容】
【実用新案登録請求の範囲】
【請求項１】
この紙うちわはスプーン型にする事により持ち易く、尚且つ弱くならない位に角度を保ち、スジを真ん中に入れ、曲げることにより風量を保ち尚且つスジの部分に角度を付ける事により強度が保つ事が出来るスジ入り紙うちわ
【手続補正２】
【補正対象書類名】明細書
【補正対象項目名】全文
【補正方法】変更
【補正の内容】
【考案の詳細な説明】
【技術分野】
【０００１】紙うちわのあおぐ時の形状に関する。
【背景技術】
【０００２】従来の紙うちわはあおぎにくく、総風量に欠け、貼り合わせ品ではコストが掛かり過ぎる為に考案したもの。
【課題を解決する為の手段】
【０００３】上記目的を達成する為に、本考案は１枚の紙を使い、持ち手部分にスジを入れる事によりあおぎやすく強度が保てる紙うちわを構成している。
【考案の効果】
【０００４】以上の説明から明らかなように本考案にあっては次の列挙する効果が得られる。
（１）スジを入れる事（図２）によりあおぎやすく従来の穴のみの紙うちわより強度が保たれ、貼り合わせの物より低コストで提供できる。
（２）「（図１）」本考案を実施する為の最良の第１の形態の紙うちわ図である。
【実施例】
【０００５】図１は本考案作成の実施例１の抜きであり紙（印刷物など）を抜き加工するものである。
【産業上での利用可能性】
【０００６】本考案は紙うちわを製造する産業で利用される。
【図面の簡単な説明】
【０００７】
【図１】平面図
【符号の説明】
【０００８】１    スプーン型
２    スジ
(57)【要約】【課題】中身の入ったスプレー缶を処分するため、スプレー缶の大きさにかかわらずまた、缶に穴をあけることなく、短時間に中身を取り出す器具を提供する。【解決手段】スプレー缶５よりスプレーキャップ４をはずし、器具本体１の徐々に狭くなったスプレーノズル差込口３にスプレー缶５のスプレーノズル６を差込み、上から指で器具本体１を押すことによりスプレーの中身を排出させる。  これにより、あらゆるサイズのスプレー缶に対し、中身を短時間で安全に取り出すことが出来る。  スプレーの中身は、勢いよく噴出するので、ビニールパイプ７や受け皿８を用意しておく。【選択図】図３
0003172586.tif 000002
【実用新案登録請求の範囲】
【請求項１】
不必要となったスプレー缶の中身を、缶の大きさにかかわらず、また、缶に穴をあけることなく短時間で取り出す器具であること。
【考案の詳細な説明】
【技術分野】
【０００１】本考案は、一般家庭等において不要となった中身の残っているスプレー缶の処分を解決するため、缶の大きさにかかわらず、また、缶に穴をあけることなく短時間で簡易に中身を取り出す器具を考案したものである。
【背景技術】
【０００２】従来は、主に以下の▲１▼〜▲３▼の方法であった。
▲１▼スプレー缶の中身が空になるまで、噴霧しつづける。
▲２▼中身が飛散することを承知で缶にあなをあける方法。
▲３▼缶を器具で固定して容器内に取り出す方法。
【考案の概要】
【考案が解決しようとする課題】
【０００３】空になったスプレー缶は、穴をあけて処分することが出来るが、中身が残っている場合、背景技術▲１▼では時間がかかる、▲２▼では手・顔などに中身を浴びる危険性がある、▲３▼では缶のサイズが商品によって異なるため、これに対応するには、装置が大掛りとなること等の課題があった。
【課題を解決するための手段】
【０００４】スプレー缶のキャップをはずし、ノズルを押し下げることで短時間に、中身を排出させる、ノズルの差込み口を徐々に狭める構造でどのサイズのスプレーにも対応できるとともに手や顔に中身が飛散することを防ぐことが出来るようにした。
【考案の効果】
【０００５】あらゆるスプレー缶に対し、短時間で安全に取り出すことが出来た。
【実施例】
【０００６】スプレー缶のサイズにより異なるが、噴霧し続ける方法では、数十分かかる作業が数分で完了出来た。
【図面の簡単な説明】
【００７】
【図１】本考案の正面上方向からの図である。
【図２】本考案の断面図である。
【図３】本考案の使用方法を示す図である。
【符号の説明】
【０００８】１  本体
２  排出口
３  スプレーノズル差込口
４  スプレーキャップ
５  スプレー缶
６  スプレーノズル
７  ビニールパイプ
８  受皿
【図１】
0003172586.tif 000003
【図２】
0003172586.tif 000004
【図３】
0003172586.tif 000005
【手続補正書】
【提出日】平成23年10月4日(2011.10.4)
【手続補正１】
【補正対象書類名】実用新案登録請求の範囲
【補正対象項目名】全文
【補正方法】変更
【補正の内容】
【実用新案登録請求の範囲】
【請求項１】
スプレー缶のスプレーノズルを本体下部のスプレーノズル差込口に挿入し、本体を上から押し下げることにより、スプレーの中身を前記差込口と連通しており本体上部にもうけられた排出口より噴出させ、排出口に接続したビニールパイプで別の容器に中身を取り出すスプレー缶中身取り出し器。
(57)【要約】      （修正有）【課題】発電の動力源を自然界に存在する重力を応用した重力発電装置を提供する。【解決手段】密封された油圧タンクであるシリンダー２に荷台でもあるピストン１で油圧をつくり、配管で外部の油圧発電装置に油送して発電し、排出された作動油を油圧アキュムレータ６や油圧ポンプ５又はてこ式油圧ジャッキ３等でピストン部を一時押し上げて減圧してから油圧タンクに戻す又は補充油を注油する循環装置である。燃料や水力・火力・風力・光・立地条件を必要とせず、小型の小規模需要から超大型の大規模需要の発電装置が作れ、大型重力発電装置の連結により大容量電力をつくることも可能である。【選択図】図１
0003172590.tif 000002
【実用新案登録請求の範囲】
【請求項１】
重力を動力源とした発動機。
【請求項２】
重力を動力源とした発動機による発電システム。
【考案の詳細な説明】
【技術分野】
【０００１】  本考案は、日本の置かれている電力事情の立場を憂慮して、その解決策の一端として、発電の動力源を自然界に存在する重力を応用した重力発電装置である。
【背景技術】
【０００２】  現在の電力は水・火・風・光・動力・原子力発電などがありますが、いずれも、建設費や燃料費が莫大で、又、この度の原発事故で大変な被害を広域にもたらしている。
【先行技術文献】
【非特許文献】
【０００３】  ニュウトンの万有引力・パスカルの原理を参考にした。
【考案の概要】
【考案が解決しようとする課題】
【０００４】  再生可能自然エネルギーの開発を解決するため。
【課題を解決するための手段】
【０００５】  重力と油圧を応用した。
【考案の効果】
【０００６】  小型でも大型でも製作可能で、大型装置の連結で大規模な発電力も可能である。又建設費が従来のものより少なく立地条件を問わない。
【図面の簡単な説明】
【０００７】
【図１】  油タンクを兼ねたシリンダーの中の油に荷台を兼ねたピストンで油圧を作り、配管で外部の油圧発電装置に送油して発電し、排出された作動油は同じ外部の油圧アキュムレータ（蓄圧器）を通じて油圧タンクであるシリンダーに戻す、その際、荷台ピストンは梃子式ジャッキで押し上げ減圧の上で注油する循環装置循環装置の構造である。
【図２】  図１の側面図である。
【考案を実施するための形態】
【０００８】  密封された油圧タンクであるシリンダーに荷台でもあるピストンで油圧をつくり、配管で外部の油圧発電装置に油送して発電し、排出された作動油を油圧アキュムレータや油圧ポンプ又はてこ式油圧ジャッキ等でピストン部を一時押し上げて減圧してから油圧タンクに戻す又は補充油を注油する循環装置である。
【産業上の利用可能性】
【０００９】  燃料や水力・火力・風力・光・立地条件を必要とせず、小型の小規模需要から超大型の大規模需要の発電装置が作れ、大型重力発電装置の連結により大容量電力をつくることも可能である。
【符号の説明】
【００１０】  １  重量物荷台タンク兼ピストン
２  油圧タンク兼シリンダー
３  油圧減圧用梃子式油圧ジャッキ
４  作動油貯蔵タンク
５  注油油圧ポンプ
６  油圧アキュムレータ
７  油圧発電機又は油圧ピストン・油圧タービン等による発電機
８  排出された作動油の蓄圧器である油圧アキュムレータ
９  送油変換弁
１０  バッテリー
１１  梃子式油圧ジャッキへの注油油圧ポンプ
１２  配管
１３  送電線
１４  荷台兼ピストンの鍔（つば）
１５  ストッパー兼梃子式油圧ジャッキの台
【図１】
0003172590.tif 000003
【図２】
0003172590.tif 000004
【手続補正書】
【提出日】平成23年9月2日(2011.9.2)
【手続補正１】
【補正対象書類名】明細書
【補正対象項目名】０００７
【補正方法】変更
【補正の内容】
【０００７】
【図１】油タンクを兼ねたシリンダーの中の油に重量物を積んだ荷台を兼ねたピストンで圧油を作り、配管で発電用油圧アキュムレータ（蓄圧器）に送油して作動油とし、更に油圧アクチュエータ（油圧モーター）で流体運動を回転運動に換えて発電機を駆動する。排出された作動油は次に排出用の油圧アキュムレータを通じて発電用油圧アキュムレータに戻し循環させる。この時、自動制御弁で這入りきりない作動油は油タンクに戻す。油タンクを兼ねたシリンダーの油量が少なくなった場合は油タンクより補充するが、その際、荷台ピストンは梃子と油圧シリンダーで押し上げて、圧油タンクの油圧を下げた状態で注油する。
【図２】複数の装置を連結した場合のイメージである。
【手続補正２】
【補正対象書類名】明細書
【補正対象項目名】００１０
【補正方法】変更
【補正の内容】
【００１０】  １  圧油タンク兼シリンダー
２  重量物荷台タンク兼ピストン
３  シリンダー・ケース
４  重石コンクリート円盤
５  油タンク
６  梃子押しレバー
７  返しレバー
８  梃子支柱
９  バッテリー
１０  送油ポンプ
１１  梃子押し油圧シリンダー
１２  油圧アキュムレータ（蓄圧器）
１３  油圧アクチュエータ（油圧モーター）
１４  発電機
１５  配管
１６  送電線
【手続補正３】
【補正対象書類名】図面
【補正対象項目名】全図
【補正方法】変更
【補正の内容】
【図１】
0003172590.tif 000005
【図２】
0003172590.tif 000006
【手続補正書】
【提出日】平成23年10月5日(2011.10.5)
【手続補正１】
【補正対象書類名】実用新案登録請求の範囲
【補正対象項目名】全文
【補正方法】変更
【補正の内容】
【実用新案登録請求の範囲】
【請求項１】
円筒の中に油タンクを兼ねたシリンダーと重量物荷台を兼ねたピストンがあり、シリンダー内の油を重量物を積んだピストンが押し下げて圧油を作り、作動油として外部に送る、摩擦減した重力発電機内のシリンダーの油は外部に設置された梃子と油圧シリンダーで重量物を吊り上げて、シリンダー内の油の油圧を減圧して外部に設置してある油タンクから注油する重力発動機。
【請求項２】
請求項１に記載の重力発動機で送られた作動油は外部に設置した発電用油圧アキュムレータに送油して蓄圧し、同じく外部に設置した油圧アクチュエータで同じ外部に設置した発電機を駆動して発電し、排出油は同じ外部に設置した排出用油圧アキムレーュタに送り加圧してから発電用油圧アキムレーュタに戻し循環させる、以上の重力発動機、外部油タンク、発電用アキュムレータ、油圧アクチュエータ、発電機、排出用油圧アキュムレータ等の６機器は配管で連結された組み合わせの形状を特徴とする全天候型無燃料重力発電機。
(57)【要約】      （修正有）【課題】カップを使用後洗った後に、カップの内側に水滴を残さない持ち手付きカップを提供する。【解決手段】カップ２の持ち手に凹み部分１を付けることで、フックなどにカップをかけた時に、カップの中に水滴を残さず乾燥させやすいことを、最も主要な特徴とする。既成のプラスティックなどのカップで、熱で加工可能な物は、持ち手部分に凹みを付けても良い。【選択図】図１
0003172587.tif 000002
【実用新案登録請求の範囲】
【請求項１】
本考案は、カップの持ち手に凹み部分を付けることで、フックなどにカップの持ち手をかけた時に、カップの中に水滴を残さず乾燥させやすい物である。
【考案の詳細な説明】
【技術分野】
【０００１】
本考案は、カップを下に向けてフックなどにかけてカップの内側に水分を残さず、洗った後に乾燥しやすい、持ち手に凹み部分をつけた、カップである。
【背景技術】
【０００２】
通常のカップの持ち手はなだらかな曲線の物が多く、使用後洗った後に乾燥させるためフックなどにかけると水滴がカップの中に残り、次に使用するときに洗わなければならない。
【考案の概要】
【考案が解決しようとする課題】
【０００３】
解決しようとする問題点は、カップを使用後洗った後に、カップの内側に水滴を残さない。
【課題を解決するための手段】
【０００４】
本考案は、カップの持ち手に凹み部分を付けることで、フックなどにカップをかけた時に、カップの中に水滴を残さず乾燥させやすいことを、最も主要な特徴とする。
【考案の効果】
【０００５】
本考案のカップは、カップの内側を乾燥させやすい。
【図面の簡単な説明】
【０００６】
【図１】凹みがある持ち手付きカップを示した説明図である。
【図２】図２は凹みがある持ち手付きカップの実施方法を示した説明図である。（実施例１）
【実施例１】
【０００７】
図２は、本考案の１実施例の側面図である。
【産業上の利用可能性】
【０００８】
通常これらを作る他に、
既製のプラスティックなどのカップで、熱で加工可能な物は、持ち手部分に凹みを付ける。
【符号の説明】
【０００９】
１  凹み部分
２  カップ
【図１】
0003172587.tif 000003
【図２】
0003172587.tif 000004
【手続補正書】
【提出日】平成23年10月21日(2011.10.21)
【手続補正１】
【補正対象書類名】実用新案登録請求の範囲
【補正対象項目名】全文
【補正方法】変更
【補正の内容】
【実用新案登録請求の範囲】
【請求項１】
本考案は、カップの持ち手をフックなどに掛けた時にカップの飲み口が下を向くように、カップの持ち手の下の方に、フックなどに掛けやすい、又ずれない凹み部分を付けた物である。
(57)【要約】      （修正有）【課題】日めくりカレンダーとしての機能とティッシュ本来の機能を持ち合わせたカレンダーを提供する。【解決手段】ティッシュにカレンダーとしての日付を印刷すること。一枚一枚に日付を印刷したティッシュを、ボックスまたはビニール（ポケットティッシュのいれもの）にまとめ、日めくりカレンダー形式にすること。めくる紙をティッシュにすることで、ティッシュとしても使うことができる。さらに、一日一枚と考えることで、資源節約にもなる。【選択図】図１
0003172567.tif 000002
【実用新案登録請求の範囲】
【請求項１】
ティッシュにカレンダーとしての日付を印刷すること。
【請求項２】
一枚一枚に日付を印刷したティッシュを、ボックスまたはビニール（ポケットティッシュのいれもの）にまとめ、日めくりカレンダー形式にすること。
【考案の詳細な説明】
【技術分野】
【０００１】  本考案は、ティッシュ一枚一枚に日付を印刷し、日めくりカレンダーとしての機能とティッシュ本来の機能を持ち合わせたものである。
【背景技術】
【０００２】  日めくりカレンダーは毎日破って捨てるものであるが、その紙がティッシュであれば使うことが出来る。さらに、今日のエコという観点から、「一日一枚」という節約の気を起こすことも出来る。
【図面の簡単な説明】
【０００３】
【図１】本考案のボックスタイプの使用例全体像である。
【符号の説明】
【０００４】１  ティッシュ紙部分に年月日が印刷してある。
２  ボックス。
３  ボックスの中身に入っている月が表示してある。４ヶ月分。
【図１】
0003172567.tif 000003
【手続補正書】
【提出日】平成23年4月6日(2011.4.6)
【手続補正１】
【補正対象書類名】実用新案登録請求の範囲
【補正対象項目名】全文
【補正方法】変更
【補正の内容】
【実用新案登録請求の範囲】
【請求項１】
一枚一枚に日付を印刷したティッシュを、ボックスまたはビニール（ポケットティッシュのいれもの）にまとめた、日めくりティッシュカレンダー。
(57)【要約】      （修正有）【課題】火傷をせずにスムーズに調理ができる鍋蓋スタンドを提供する。【解決手段】カタカナの「コ」の字状になったステンレス鋼の下部曲がったところを長方形ステンレス鋼の上部一辺に設けた円状の空洞に挿入して結合させ、下部がくぼんでいて上部の先端が曲がっているステンレス鋼を長方形ステンレス鋼の下部一辺に設けた円状の空洞に挿入して結合させ、中間部分に設けた突起部分に、「コ」の字状になったステンレス鋼の一辺を４５度傾けてのせることにより鍋蓋から水滴が落ちない傾斜を有する。【選択図】図１
0003172593.tif 000002
【実用新案登録請求の範囲】
【請求項１】
「ステンレス製の鍋蓋スタンドであって、
（１）カタカナの「コ」の字状になったステンレス鋼の下部曲がったところを長方形ステンレス鋼の上部一辺に設けた円状の空洞に挿入して結合させ、下部がくぼんでいて上部の先端が曲がっているステンレス鋼を長方形ステンレス鋼の下部一辺に設けた円状の空洞に挿入して結合させ、中間部分に設けた突起部分に、「コ」の字状になったステンレス鋼の一辺を４５度傾けてのせることにより鍋蓋から水滴が落ちない傾斜を有する鍋蓋スタンドとなり、
（２）結合部分を起点にたたんだ状態では鍋敷きとなる
ことを特徴とするステンレス製の鍋蓋スタンド。」
【考案の詳細な説明】
【技術分野】
【０００１】本考案は調理中取り外す鍋蓋を置く装置に関するものである。
【背景技術】
【０００２】従来は、調理中蓋をあけたら裏返しにして調理台においていた。
置く際、火傷に注意するよう箸を使うなどの工夫をしていた。
【考案の概要】
【考案が解決しようとする課題】
【０００３】  調理中、蓋をあけて調理する際、置き場所と置く向きに不便さを感じるため、スムーズに調理ができる装置を提供することにある。
また、誤って加熱された蓋を触り火傷をすることを避ける。
【課題を解決するための手段】図１−１と図１−３を広げ、図１−３に立てかけることにより「スタンド」となる。
鍋蓋を図１−３のへこみ部分に立て掛けることにより、課題が解決される。
【考案の効果】    従来調理中の蓋は調理台またはテーブルの上に１８０度ひっくり返し置くことになるが、このスタンドにより１８０度ひっくり返すことなく、火傷もせずにスムーズに調理が可能となる。
【図面の簡単な説明】
【図１】  ［図１−１〜図１−３］  「ステンレス製の鍋蓋スタンド」を示した平面図である。
【図２】  「ステンレス製の鍋蓋スタンド」を示した断面図である。
【図３】  「ステンレス製の鍋蓋スタンド」を示した正面図である。
【考案を実施するための形態】
図１−１と図１−３を広げ、図１−３に立てかけることにより「スタンド」となり、鍋蓋を
図１−３のへこみ部分に立て掛けることにより、課題が解決される。
【図１】
0003172593.tif 000003
【図２】
0003172593.tif 000004
【図３】
0003172593.tif 000005